(57)【要約】【課題】収納した工具のガタツキを防止することができる収納ケースを提供する。【解決手段】先端部付近に先窄まりのテーパー部１３が設けられた工具１０を収納する収納ケース１であって、相互に軸心方向にスライド可能な内筒３および外筒２と、これら内筒３および外筒２のうちの少なくとも片方に両筒間のスライドを許容しかつ規制するように設けたスライド規制手段とを備え、内筒３および外筒２のうちの一方には、工具先端を挿入してテーパー部１３を拘束する孔４３を有する隔壁４２が設けられ、他方に工具１０の基端面１５に当接する当接部２３が設けられ、隔壁４２と当接部２３との離隔距離をスライド規制手段のスライド規制力に抗して接近させることにより工具１０を拘束し、内筒３と外筒２を分離させることにより工具１０を取出しでき、隔壁４２の位置は、孔４３から突出した工具先端が一方の筒の内部に位置するように設定される。【選択図】図１
2008137095.tif 000002
【特許請求の範囲】
【請求項１】
先端部付近に先窄まりのテーパー部が設けられた工具を収納する収納ケースであって、
相互に軸心方向にスライド可能な内筒および外筒と、これら内筒および外筒のうちの少なくとも片方に両筒間のスライドを許容しかつ規制するように設けたスライド規制手段とを備え、上記内筒および外筒のうちの一方には、上記工具先端を挿入して上記テーパー部を拘束する孔を有する隔壁が設けられ、他方に上記工具の基端に当接する当接部が設けられ、上記隔壁と当接部との離隔距離を上記スライド規制手段のスライド規制力に抗して接近させることにより工具を拘束し、上記離隔距離を上記スライド規制手段のスライド規制力に抗して離し内筒と外筒を分離させることにより工具を取出しでき、上記隔壁の位置は、前記孔から突出した工具先端が前記一方の筒の内部に位置するように設定されていることを特徴とする収納ケース。
【請求項２】
請求項１に記載の収納ケースにおいて、
前記内筒の内側に筒状部材が、その筒状部材の外周に設けた鍔部を内筒の外筒との嵌合側の開口周縁に当接させた位置決め状態に取付けられ、上記筒状部材に前記隔壁が設けられるとともに、前記外筒の内筒との嵌合側とは反対側端部に前記当接部を内側に有する蓋部が設けられていることを特徴とする収納ケース。
【請求項３】
請求項１または２に記載の収納ケースにおいて、
前記スライド規制手段は、内筒および外筒のうちの片方に一定ピッチで設けられた凸部と、もう片方に上記凸部と同じピッチで設けられた凹部とを有することを特徴とする収納ケース。
【発明の詳細な説明】
【技術分野】
【０００１】
本発明は、先端部付近に先窄まりのテーパー部が設けられた工具、例えばテーパー部よりも先端側に切削刃が形成された切削ドリルなどの工具を収納する収納ケースに関する。
【背景技術】
【０００２】
上述した切削ドリルを収納するケースとして、図６に示すように、一対の挟持板１０２の中央を折り曲げて形成される保持部材１０３の空洞１０４内に工具１００の切削刃１０１を入れて保護し、この状態のものを、内ケース１０５に外ケース１０６を外嵌して形成される収納ケース１０７の内部空洞１０８に収納させる構成のものが知られている（例えば特許文献１参照）。
【特許文献１】特開２００１−２５９９６４号公報
【発明の開示】
【発明が解決しようとする課題】
【０００３】
ところで、上記特許文献１の技術による場合には、嵌合させた内ケース１０５と外ケース１０６の両端間の距離を短くしていくことで、保持部材１０３で工具１００を保護した状態の前後端が挟み込まれて拘束される。しかしながら、工具１００の径方向には拘束が不十分なため、運搬中などで収納ケース１０７が揺れると工具１００が振動してガタツキ、不快音が発生するという不都合があった。
【０００４】
本発明は、このような従来技術の課題を解決するためになされたもので、収納した工具のガタツキを防止することができる収納ケースを提供することを目的とする。
【課題を解決するための手段】
【０００５】
請求項１の発明に係る収納ケースは、先端部付近に先窄まりのテーパー部が設けられた工具を収納する収納ケースであって、相互に軸心方向にスライド可能な内筒および外筒と、これら内筒および外筒のうちの少なくとも片方に両筒間のスライドを許容しかつ規制するように設けたスライド規制手段とを備え、上記内筒および外筒のうちの一方には、上記工具先端を挿入して上記テーパー部を拘束する孔を有する隔壁が設けられ、他方に上記工具の基端に当接する当接部が設けられ、上記隔壁と当接部との離隔距離を上記スライド規制手段のスライド規制力に抗して接近させることにより工具を拘束し、上記離隔距離を上記スライド規制手段のスライド規制力に抗して離し内筒と外筒を分離させることにより工具を取出しでき、上記隔壁の位置は、前記孔から突出した工具先端が前記一方の筒の内部に位置するように設定されていることを特徴とする。
【０００６】
請求項２に係る収納ケースは、請求項１に記載の収納ケースにおいて、前記内筒の内側に筒状部材が、その筒状部材の外周に設けた鍔部を内筒の外筒との嵌合側の開口周縁に当接させた位置決め状態に取付けられ、上記筒状部材に前記隔壁が設けられるとともに、前記外筒の内筒との嵌合側とは反対側端部に前記当接部を内側に有する蓋部が設けられていることを特徴とする。
【０００７】
請求項３の発明に係る収納ケースは、請求項１または２に記載の収納ケースにおいて、前記スライド規制手段は、内筒および外筒のうちの片方に一定ピッチで設けられた凸部と、もう片方に上記凸部と同じピッチで設けられた凹部とを有することを特徴とする。
【発明の効果】
【０００８】
本発明による場合には、一方の筒の隔壁に設けた孔に工具先端を挿入し、この状態の一方の筒に対し、他方の筒を嵌め込み、隔壁と当接部との離隔距離をスライド規制手段のスライド規制力に抗して接近させることで、当接部により工具が先端側へ押し付けられ、これにより工具のテーパー部が隔壁の孔に同心状となった状態で工具が収納ケースに拘束されて工具のガタツキが防止される。このように工具が拘束された状態は、スライド規制手段のスライド規制力により維持される。そして、隔壁の位置は、孔から突出した工具先端が一方の筒の内部に位置するように設定されているので、工具を収納したケースに外力が加わっても工具先端の損傷を防止させ得る。工具を取出すときは、上記離隔距離をスライド規制手段のスライド規制力に抗して離し内筒と外筒を分離させればよい。
【０００９】
請求項２の発明による場合には、内筒に筒状部材を、筒状部材の鍔部が内筒の開口周縁に当接する状態に挿入し、その筒状部材の内部に工具を、隔壁の孔に工具先端部が入った状態に挿入して、内筒と外筒と押し込むと、外筒の蓋部が工具の基端に位置し、筒状部材の隔壁が工具のテーパー部に位置する一定関係となって止まる。
【００１０】
請求項３の発明による場合には、内筒と外筒とは、凸部が凹部に入る一定ピッチでスライドし、凸部が凹部に入った状態ではスライドが規制される。よって、内筒に対して外筒が外れ難くなり、工具を容易に収納ケースに収納させ得るとともに、運搬中に両筒が緩まずに工具の落下を防止することができる。
【発明を実施するための最良の形態】
【００１１】
以下に、本発明を具体的に説明する。
【００１２】
図１は本発明の一実施形態に係る収納ケースを示す正面図で、図２はその収納ケースを示す分解斜視図、図３は図１のＩＩＩ−ＩＩＩ線による断面図である。
【００１３】
この収納ケース１は、工具１０を収納するもので、外筒２と内筒３と筒状部材４とを有する。工具１０は、先端に切削刃１１が形成された小径部１２の基端側、つまり先端部付近に先窄まりのテーパー部１３が設けられ、そのテーパー部１３よりも基端側は大径部１４となっていて、大径部１４の基端面１５は軸心に対してほぼ直交する平面状となっている。その基端面１５の周縁は角落としされている。
【００１４】
上述した外筒２の内側には内筒３が挿入され、内筒３の内側には筒状部材４が挿入されていて、外筒２および内筒３は、断面が正方形状に形成された合成樹脂製のもので、筒状部材４は断面が円形状に形成された合成樹脂製の、筒状部材本体４０を有する。
【００１５】
外筒２は、内筒３との嵌合側、図１では左側の端部が開口２１となっていて、右側（嵌合側とは反対側）の端部には蓋部２２が設けられ、その蓋部２２の内側には、工具１０の基端面１５に当接させるための当接部２３が左側に突出した状態で形成されている。
【００１６】
内筒３は、外筒２との嵌合側、図１では右側の端部が開口３１となっていて、左側（嵌合側とは反対側）の端部は外筒２よりも大きく形成され、その左側の端部には蓋部３２が設けられている。
【００１７】
筒状部材４は、内筒３の内側に挿入して用いられ、筒状部材本体４０の右側端部の外周には内筒３の開口３１の周縁に当接する鍔部４１が設けられていて、その鍔部４１の中心側には開口４１ａが形成されている。この開口４１ａは工具１０を挿入するためのものである。また、この筒状部材４には、図４に示すように左側端部には隔壁４２が設けられ、その隔壁４２の中心部には上記工具１０のテーパー部１３を拘束する円形の拘束孔４３が形成されている。更に、筒状部材本体４０の外周には四等配の位置にフィン６０が、内筒３の内側四隅に向けて突出形成されている。このフィン６０は鍔部４１から離れた部分では外方への突出長さが短く、鍔部４１に近い部分では前記突出長さを長くしてあり、その鍔部４１に近く突出長さが長い部分が内筒３の内面に接触すると、摩擦力が働くようになっている。なお、鍔部４１から離れた突出長さが短い部分は、矩形状をした内筒３の内側四隅に位置合わせする際に用いられる。
【００１８】
外筒２と内筒３とには、スライドを許容しかつ規制するスライド規制手段５０が設けられている。スライド規制手段５０は、図５に示すように、外筒２の内面（内筒３に対向する面）に設けられた凸部５１および凸条５２と、内筒３の外面（外筒２に対向する面）に設けられた凹部５３とを有する。凸部５１および凸条５２は外筒２の内側に向けて突出したものであり、凸部５１は外筒２の４側面の１つに軸心方向に沿って２列平行に形成され、各列の凸部５１は一定ピッチで配されている。凸条５２は外筒２の４側面の残り３つに軸心方向に沿って２列平行に形成されている。
【００１９】
一方、凹部５３は、内筒３の４側面のそれぞれに、軸心方向に沿って２列平行に設けられ、各列の凹部５３は、各凹部５３の両側に設けた凸部５４の間で形成されていて、凸部５１と同じ一定ピッチで配されている。
【００２０】
凸部５１および凸条５２と、凹部５３（または凸部５４）とは、外筒２および内筒３の周方向において重なる位置に設けられている。その理由は、内筒３と外筒２とを、両者の周方向位置を気にせずに嵌合させることができるようにし、かつスライドを許容しかつ規制することを可能にするためである。
【００２１】
よって、内筒３と外筒２は、このように構成されたスライド規制手段５０を間に介在するため、凸部５１が凹部５３に入る一定ピッチでスライドし、凸部５１が凹部５３に入った状態ではスライドが規制される。
【００２２】
次に、このように構成された収納ケース１に工具１０を収納させる作業例を説明する。
【００２３】
まず、内筒３の内部に筒状部材４を、隔壁４２側から挿入して嵌合させる。このとき、内筒３の開口３１の周縁に筒状部材４の鍔部４１を当接させる。この当接により鍔部４１に近く突出長さが長い部分が内筒３の四隅内面に接触して摩擦力が働いているので、筒状部材４が内筒３から落下しない状態となる。
【００２４】
次に、工具１０の先端側を筒状部材４の開口４１ａから内部に入れ、工具１０のテーパー部１３を拘束孔４３に挿入する。この工具１０の挿入工程は、内筒３の内部に筒状部材４を嵌合させる以前に行うようにしてもよい。
【００２５】
次に、この状態の内筒３に対して外筒２を嵌合させる。このとき、内筒３の開口３１と外筒２の開口２１とが逆向きになるようにする。そして、嵌合した内筒３と外筒２の両端を接近させるように、スライド規制手段５０のスライド規制力に抗して縮める。これにより工具１０の基端面１５が、外筒２の当接部２３に当接し、工具１０のテーパー部１３が拘束孔４３に同心状になって拘束される。このとき、隔壁４２と当接部２３との離隔距離が、拘束孔４３に拘束されたテーパー部１３から基端面１５までの離隔距離に一致する状態になる。
【００２６】
上述の拘束状態は、凸部５１が凹部５３に入ったスライド規制手段５０による強いスライド規制力により維持される。よって、内筒３と外筒２とのスライドが防止され、運搬中においても工具１０のガタツキが無くなり、不快な音の発生や、工具先端の切削刃１１が破損することを防止することが可能になる。その後、工具１０を取り出す場合は、スライド規制手段５０のスライド規制力に抗して内筒３から外筒２を分離させるとよい。
【００２７】
なお、上述した実施形態では内筒３に、隔壁（拘束孔４３を備える）４２を有する筒状部材４を設ける構成としているが、本発明はこれに限らず、内筒に直接に拘束孔を備える隔壁を形成し、筒状部材を省略した構成にしてもよい。但し、この場合は、隔壁から突出する工具先端が内筒の内側に位置するような配置関係で隔壁を設けることが、工具の破損防止の点で望ましい。
【００２８】
また、上述した実施形態では、内筒３側に工具１０のテーパー部１３を拘束するための拘束孔４３を備える隔壁４２を配し、外筒２側に工具１０の基端面１５に当接する当接部２３を配した構成としているが、本発明はこれとは逆に、内筒側に工具の基端面に当接する当接部を配し、外筒側に工具のテーパー部を拘束するための拘束孔を備える隔壁を配した構成としてもよい。
【００２９】
更に、上述した実施形態では、スライド規制手段５０として、外筒２の内面（内筒３に対向する面）に凸部５１および凸条５２を、内筒３の外面（外筒２に対向する面）に凹部５３を設けた構成を採用しているが、本発明はこれに限らない。例えば、凸部５１および凸条５２を内筒３の外面（外筒２に対向する面）に設け、凹部５３を外筒２の内面（内筒３に対向する面）に設けてもよい。また、外筒２の内面または内筒３の外面に、相手側の筒の対向面に押圧力を付与する形態のものでもよい。
【００３０】
更にまた、上述した実施形態ではフィン６０を筒状部材４に設けた構成としているが、本発明はこれに限らない。例えば、筒状部材４ではなく内筒３の内面（筒状部材４に対向する面）にフィンを設けてもよい。或いは、フィンに代えて、内筒と筒状部材の片方に、もう片方の表面との間で摩擦力を発生させる１または２以上の凸部を設けた構成としてもよく、または、内筒と筒状部材の片方に凹部を設け、もう片方にその凹部に嵌る凸部を設けた構成としてもよい。
【００３１】
更にまた、上述した実施形態では、収納ケースに収納する工具として、先端に切削刃１１が形成された小径部１２の基端側（先端部付近）に先窄まりのテーパー部１３が設けられ、そのテーパー部１３よりも基端側は大径部１４となっていて、大径部１４の基端面１５は軸心に対してほぼ直交する平面状となったものを例に挙げているが、他の形態の工具についても収納可能である。例えば、先端部付近に先窄まりのテーパー部が設けられた工具一般につき収納可能であり、断面円形の工具に限らず、断面矩形状の工具であっても収納対象に含むことは勿論である。
【図面の簡単な説明】
【００３２】
【図１】本発明の一実施形態に係る収納ケースを示す正面図である。
【図２】図１の収納ケースを示す分解斜視図である。
【図３】図１のＩＩＩ−ＩＩＩ線による断面図である。
【図４】筒状部材に工具を挿入した状態を示す斜視図である。
【図５】スライド規制手段の説明図（斜視図）である。
【図６】特許文献１の説明図（斜視図）である。
【符号の説明】
【００３３】
１    収納ケース
２    外筒
３    内筒
４    筒状部材
１０    工具
１３    テーパー部
１５    基端面
２２    蓋部
２３    当接部
４２    隔壁
４３    拘束孔
５０    スライド規制手段
５１    凸部
５２    凸条
５３    凹部
６０    第２スライド規制手段
６１    凸部
【図１】
2008137095.tif 000003
【図２】
2008137095.tif 000004
【図３】
2008137095.tif 000005
【図４】
2008137095.tif 000006
【図５】
2008137095.tif 000007
【図６】
2008137095.tif 000008